【事件の表示】
　特願２０１５−４４２２４号「遊技機」拒絶査定不服審判事件〔平成２８年９月８日出願公開、特開２０１６−１６３６１６号〕について、次のとおり審決する。
【結　論】
　本件審判の請求は、成り立たない。
【理　由】
第１　手続の経緯の概要
　本願は、平成２７年３月６日の出願であって、平成２９年３月３０日付けで拒絶の理由が通知され、同年６月２日に意見書及び手続補正書が提出されたところ、同年１１月１５日付け（発送日：同年１１月２１日）で拒絶査定がなされ、それに対して、平成３０年２月１９日に拒絶査定不服審判の請求がなされると同時に手続補正書が提出されたものである。
　
第２　平成３０年２月１９日付けの手続補正についての補正却下の決定
　平成３０年２月１９日付けの手続補正（以下「本件補正」という。）を却下する。
　
［理由］
　１　補正の内容
　本件補正は、特許請求の範囲の請求項１〜２を補正する内容を含むものであり、そのうちの請求項１について、平成２９年６月２日付け手続補正書の特許請求の範囲の請求項１における
「遊技球が転動可能な遊技領域と、前記遊技領域を転動する遊技球が入球可能な入賞装置と、を備える遊技機であって、
　前記入賞装置は、
　遊技球が所定領域を通過したことを検知可能な入賞検知手段と、
　所定の駆動条件が成立したことに基づいて、遊技球を前記所定領域へと誘導可能な第１誘導可能状態と、誘導不可能な第１誘導不可能状態とに駆動可能な第１可動片と、
　前記第１可動片よりも上方に設けられ、前記第１可動片へ遊技球を誘導可能な第２誘導可能状態と、誘導不可能な第２誘導不可能状態とに駆動可能な第２可動片と、を備え、
　前記第１可動片が前記第１誘導不可能状態から前記第１誘導可能状態へ駆動するときに、前記第２可動片が前記第２誘導不可能状態から前記第２誘導可能状態へ駆動し、前記第１可動片によって遊技球を前記所定領域へ誘導可能とし、
　前記第１可動片が前記第１誘導可能状態から前記第１誘導不可能状態へ駆動するときに、前記第２可動片が前記第２誘導可能状態から前記第２誘導不可能状態へ駆動することで、前記第１可動片による前記所定領域への遊技球の誘導を、前記第２可動片により遮ることを可能とし、
　前記第２可動片は、下方に延びる遊技球当接部を備え、
　前記遊技球当接部は、
　　前記第１可動片が前記第１誘導可能状態のときには、前記第１可動片に接する遊技球とは当接せず、
　　前記第１可動片が前記第１誘導可能状態から前記第１誘導不可能状態へ駆動するときには、前記第１可動片に接する遊技球と当接する遊技機。」は、審判請求時に提出された手続補正書（平成３０年２月１９日付け）における
「遊技球が転動可能な遊技領域と、前記遊技領域を転動する遊技球が入球可能な入賞装置と、を備える遊技機であって、
　前記入賞装置は、
　遊技球が所定領域を通過したことを検知可能な入賞検知手段と、
　所定の駆動条件が成立したことに基づいて、遊技球を前記所定領域へと誘導可能な第１誘導可能状態と、誘導不可能な第１誘導不可能状態とに駆動可能な第１可動片と、
　前記第１可動片よりも上方に設けられ、前記第１可動片へ遊技球を誘導可能な第２誘導可能状態と、誘導不可能な第２誘導不可能状態とに駆動可能な第２可動片と、を備え、
　前記第１可動片が前記第１誘導不可能状態から前記第１誘導可能状態へ駆動するときに、
前記所定領域が開放され、
　前記第１可動片が前記第１誘導可能状態から前記第１誘導不可能状態へ駆動するときに、
前記第１可動片により前記所定領域を塞ぐとともに、
　前記第２可動片は、下方に延びる遊技球当接部を備え、
　前記遊技球当接部は、
　　前記第１可動片が前記第１誘導可能状態のときには、前記第１可動片に接する遊技球とは当接せず、
　　前記第１可動片が前記第１誘導可能状態から前記第１誘導不可能状態へ駆動するときには、前記第１可動片に接する遊技球と当接する遊技機。」に補正された（下線は、補正箇所を明示するために当審にて付した。）。
　
　２　補正の適否
　本件補正は、補正前の請求項１に「前記第１可動片が前記第１誘導可能状態から前記第１誘導不可能状態へ駆動するときに、前記第２可動片が前記第２誘導可能状態から前記第２誘導不可能状態へ駆動することで、前記第１可動片による前記所定領域への遊技球の誘導を、前記第２可動片により遮ることを可能とし」とあったものを「前記第１可動片が前記第１誘導不可能状態から前記第１誘導可能状態へ駆動するときに、
前記所定領域が開放され、
　同じく、補正前の請求項１に「前記第１可動片が前記第１誘導可能状態から前記第１誘導不可能状態へ駆動するときに、前記第２可動片が前記第２誘導可能状態から前記第２誘導不可能状態へ駆動することで、前記第１可動片による前記所定領域への遊技球の誘導を、前記第２可動片により遮ることを可能とし」とあったものを「前記第１可動片が前記第１誘導可能状態から前記第１誘導不可能状態へ駆動するときに、
前記第１可動片により前記所定領域を塞ぐとともに、
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した図面の【図９】等の記載からみて、新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｅ２は、分説するため当審で付した。）。
「Ａ　遊技球が転動可能な遊技領域と、前記遊技領域を転動する遊技球が入球可能な入賞装置と、を備える遊技機であって、
Ｂ　前記入賞装置は、
Ｂ１　遊技球が所定領域を通過したことを検知可能な入賞検知手段と、
Ｂ２　所定の駆動条件が成立したことに基づいて、遊技球を前記所定領域へと誘導可能な第１誘導可能状態と、誘導不可能な第１誘導不可能状態とに駆動可能な第１可動片と、
Ｂ３　前記第１可動片よりも上方に設けられ、前記第１可動片へ遊技球を誘導可能な第２誘導可能状態と、誘導不可能な第２誘導不可能状態とに駆動可能な第２可動片と、を備え、
Ｃ　前記第１可動片が前記第１誘導不可能状態から前記第１誘導可能状態へ駆動するときに、前記所定領域が開放され、前記第２可動片が前記第２誘導不可能状態から前記第２誘導可能状態へ駆動し、前記第１可動片によって遊技球を前記所定領域へ誘導可能とし、
Ｄ　前記第１可動片が前記第１誘導可能状態から前記第１誘導不可能状態へ駆動するときに、前記第１可動片により前記所定領域を塞ぐとともに、前記第２可動片が前記第２誘導可能状態から前記第２誘導不可能状態へ駆動することで、前記第１可動片による前記所定領域への遊技球の誘導を、前記第２可動片により遮ることを可能とし、
Ｅ　前記第２可動片は、下方に延びる遊技球当接部を備え、
Ｆ　前記遊技球当接部は、
Ｆ１　前記第１可動片が前記第１誘導可能状態のときには、前記第１可動片に接する遊技球とは当接せず、
Ｆ２　前記第１可動片が前記第１誘導可能状態から前記第１誘導不可能状態へ駆動するときには、前記第１可動片に接する遊技球と当接する遊技機。」
　
　（２）刊行物
　原査定の拒絶理由において提示された、本願の出願前に頒布された刊行物である特開２００９−１９５６３７号公報（以下「刊行物」という。）には、図面と共に次の事項が記載されている（下線部は当審で付した。以下同様。）。
　
　・記載事項
　　　ア　「【技術分野】
【０００１】
　本発明は、遊技機用の入球具及び遊技機に係り、特に、省スペースで入球率の調整を容易とすることのできる遊技機用の入球具等に関する。」
　
　　　イ　「【発明が解決しようとする課題】
【０００７】
　しかしながら、上記のような開閉羽根部材による開閉を行う変動入賞役物や開閉扉部材による開閉を行う変動入賞役物は、開閉部材が比較的大きくその動作も大きいことから、遊技領域内において必要な面積も大きくなってしまうという問題がある。特に近年では、遊技領域内の略中央に配置される図柄表示装置の大型化が進んでいるので、変動入賞役物等の他の役物においては小型化が要求されている。
【０００８】
　更に、開閉羽根部材や開閉扉部材は、その閉鎖動作において球を入賞させる方向に羽根部材や扉部材が傾きながら閉じていくので、閉鎖途中に入賞しかかった球が、そのまま開閉羽根部材や開閉扉部材によって入賞口へと押し込まれてしまって入賞してしまうという問題がある。本来入賞すべきでない球が、開閉部材の閉鎖動作の途中で入賞してしまうと、入賞率が設計値から外れてしまってパチンコホールが不利益を受けてしまう場合がある。
【０００９】
　また、遊技領域内に配置されたゲージ等によって弾かれた球が、設計意図に反する方向から不意に入賞口へと入賞するのを防止したり、入賞しなかった球のその後の球の流下方向を調整して、遊技領域内の球の流下方向や入賞率を設計意図からなるべく外れないようにしたいとの要望もある。なお、上記のように、開閉部材の閉鎖途中に意図せず入球口に入球した球又はそのような入球、設計意図に反する方向から不意に入球口に入球した球又はそのような入球等を総称して「不測の入球」と呼ぶこととする。
【００１０】
　本発明は、上記の事情に鑑みて為されたもので、遊技領域における球の流下方向や流入開口への入球率の調整を容易とし、流下方向や入球率に対する設計意図を反映させ易い遊技機用の入球具及び遊技機を提供することを例示的課題とする。」
　
　　　ウ　「【発明を実施するための最良の形態】
【００２４】
　以下、本発明の実施の形態について図面を用いて説明する。図１は、本発明の実施の形態に係る
遊技機
遊技盤ユニット５
を有している。
・・・
【００２８】
　
遊技盤ユニット５は、遊技盤６
を有し
遊技盤６は、
遊技領域６ｂが構成される。
【００２９】
　遊技領域６ｂには、ゲージ（障害釘）２７が配置されている。このゲージ２７は、
遊技領域６ｂを流下する球２３
遊技領域６ｂには、
第２始動口
１６を備えた第２始動入賞具
１１
が配置されており、流下する球２３が
始動口に流入し
　
　　　エ　「【００４０】
　以下、この第２始動口１６を備える
第２始動入賞具１１
【００４１】
　図２は、このパチンコ機２が有する第２始動入賞具１１の外観斜視図である。この
第２始動入賞具１１は、
下ベロ部材１８、上ベロ部材１９
、
収容部２１
を有している。
・・・　
【００４３】
　下ベロ部材１８は、第２始動口１６内を前後方向（±Ｚ方向）に
進退移動する
下ベロ部材１８は、前方
への進出状態において球２３を受けるための受け面１８ａを有し
受け面１８ａで受けた球２３を第２始動口１６へと流入させる機能を有している。
【００４４】
　
上ベロ部材１９も、
進退移動する
【００４５】
　
下ベロ部材１８の進出時には、上ベロ部材１９は第２始動口１６よりも奥へと退避し、その結果、第２始動口１６の実質的な開口高さ寸法Ｌ１が球２３の直径寸法Ｄよりも大きくなるようになっている。したがって、下ベロ部材１８の進出状態においては、球２３が円滑に第２始動口１６から流入する。
【００４６】
　一方、
下ベロ部材１８の退避時には、上ベロ部材１９は第２始動口１６の開口縁近傍まで進出するようになっている。その状態において、第２始動口１６の実質的な開口高さ寸法Ｌ２は、下ベロ部材１８及び上ベロ部材１９の合計厚さ分だけ減少している。この開口高さ寸法Ｌ２が球２３の直径寸法Ｄよりも小さく設定されているので、下ベロ部材１８の退避時には球２３の第２始動口１６への流入が確実に阻止されるようになっている。
【００４７】
　このように、
下ベロ部材１８及び上ベロ部材１９の前後方向
における進退移動により
下ベロ部材１８の退避移動の途中に受け面１８ａによって球２３が受け止められた場合であっても、球２３が第２始動口１６へと押し込まれることなく、そのまま遊技領域６ｂへと残されて流下していくこととなる。
・・・
【００５０】
　ソレノイド２０は、上下のベロ部材１８，１９を進退移動させるための駆動手段である。本実施の形態においては、収容部２１に収容されて上下のベロ部材１８，１９の後方に配置され、リンク機構２０ａを介して上下のベロ部材１８，１９に連結されている。具体的には、
ソレノイド２０のプランジャ２０ｂ
プランジャ２０ｂが
上ベロ部材１９を退避させると、
下ベロ部材１８を進出させる
プランジャ２０ｂが前方へと移動して上ベロ部材１９を進出させると、
下ベロ部材１８を退避させる
【００５１】
　
収容部２１は、ベースプレート１７の後方に取り付けられた
収容部２１内には、第２始動口１６から流入した球２３を検出する球通過センサも保持され、
　
　　　オ　「【００６１】
　　＜役物遊技＞
　役物遊技が開始されると、遊技者は通過ゲート３３への球２３の通過を狙い、図柄変動遊技の場合と同様に左打ちを行う。
球２３が通過ゲート３３を通過すると、それに起因して
第２抽選が行われる。その抽選結果が当たりの場合に、第２始動口１６における下ベロ部材１８が進退移動し、一定時間
の第２始動口１６の開放状態が発生する。
　
　上記ア〜オの記載事項、及び、図面の図示内容を総合勘案すると、刊行物には、次の発明（以下「刊行物発明」という。）が記載されていると認められる（ａ〜ｆ２は、本件補正発明のＡ〜Ｆ２に対応させて付与した。）。
「ａ　球２３が流下する遊技領域６ｂと、遊技領域６ｂに配置され
、流下する球２３が流入する
【００２８】、
ｂ　第２始動入賞具１１（
【００４０】、【００４１】
ｂ１　内に、第２始動口１６から流入した球２３を検出する球通過センサ
を
し、ベ
【００４１】、
ｂ２　球２３が通過ゲート３３を通過したことに起因して行われる第２抽選の抽選結果が当たりの場合に、進退移動することにより一定時間の第２始動口１６の開放状態を発生させるものであって、前方への進出状態において球２３を受けるための受け面１８ａを有し、受け面１８ａで受けた球２３を第２始動口１６へと流入させ、退避時には球２３の第２始動口１６への流入を確実に阻止させる機能を有する下ベロ部材１８（【００４３】、【００４６】、【００６１】）と、
ｂ３　下ベロ部材１８の進出時に、下ベロ部材１８が有する受け面１８ａで受けた球２３が円滑に第２始動口１６から流入するように第２始動口１６よりも奥へと退避し、下ベロ部材１８の退避時に、球２３の第２始動口１６への流入を確実に阻止するように第２始動口１６の開口縁近傍まで進出する
、進退移動する
を有し、
ｃ　ソレノイド２０のプランジャ２０ｂにより、上ベロ部材１９を退避させると、下ベロ部材１８を進出させ（【００５０】）、
ｄ　ソレノイド２０のプランジャ２０ｂにより、上ベロ部材１９を進出させると、下ベロ部材１８を退避させ（【００５０】）、
ｅ’　上ベロ部材１９は
、
ｆ’、ｆ１’　下ベロ部材１８の進出時には、第２始動口１６よりも奥へと退避し、その結果、第２始動口１６の実質的な開口高さ寸法Ｌ１が球２３の直径寸法Ｄよりも大きくなるようになっているため、下ベロ部材１８の進出状態においては、受け面１８ａにて受けた球２３が円滑に第２始動口１６から流入し（【００４３】、【００４５】）、
ｆ’、ｆ２’　下ベロ部材１８の退避時には、第２始動口１６の開口縁近傍まで進出し、その状態において、第２始動口１６の実質的な開口高さ寸法Ｌ２は、下ベロ部材１８及び上ベロ部材１９の合計厚さ分だけ減少し、この開口高さ寸法Ｌ２が球２３の直径寸法Ｄよりも小さく設定されているので、第２始動口１６への流入を確実に阻止するものであり、これにより、下ベロ部材１８の退避移動の途中に受け面１８ａによって球２３が受け止められた場合であっても、球２３が第２始動口１６へと押し込まれることなく、上ベロ部材１９によってそのまま遊技領域６ｂへと残されて流下する（【００４６】、【００４７】）
　遊技機。」
　
　（３）対比
　本件補正発明と刊行物発明とを対比する（対比にあたっては、本件補正発明の構成Ａ〜Ｆ２と刊行物発明の構成ａ〜ｆ２について、それぞれ（ａ）〜（ｆ２）の見出しを付して行った。）。
　　（ａ）刊行物発明における「球２３が流下する遊技領域６ｂ」は、本件補正発明における「遊技球が転動可能な遊技領域」に相当する。
　また、刊行物発明における「遊技領域６ｂに配置され、流下する球２３が流入する第２始動口１６を備えた第２始動入賞具１１」は、本件補正発明における「遊技領域を転動する遊技球が入球可能な入賞装置」に相当する。
　したがって、刊行物発明における構成ａの「球２３が流下する遊技領域６ｂと、遊技領域６ｂに配置され、流下する球２３が流入する第２始動口１６を備えた第２始動入賞具１１とを備えた遊技機」は、本件補正発明における構成Ａの「遊技球が転動可能な遊技領域と、遊技領域を転動する遊技球が入球可能な入賞装置と、を備える遊技機」に相当する。
　
　　（ｂ）
　（ｂ１）構成ｂ１について
　刊行物発明における「球通過センサ」は、「収容部２１」「内に」「流入した球２３を検出する」ものであって、「球通過センサ」の検出領域を通過する球２３を検出するものである。
　ここで、刊行物発明における「収容部２１」「内」の「球通過センサ」が「保持」された「領域」は、本件補正発明における「遊技球が」「通過」する「所定領域」に相当する。
　したがって、刊行物発明における構成ｂ１の「第２始動口１６から流入した球２３を検出する球通過センサ」は、本件補正発明における構成Ｂ１の「遊技球が所定領域を通過したことを検知可能な入賞検知手段」に相当する。
　
　（ｂ２）構成ｂ２について
　刊行物発明における「球２３が通過ゲート３３を通過したことに起因して行われる第２抽選の抽選結果が当たりの場合」は、本件補正発明における「所定の駆動条件が成立したこと」に相当する。
　そして、刊行物発明における「受け面１８ａで受けた球２３を第２始動口１６へと流入させ」る「前方への進出状態」は、構成ｂ１より「第２始動口１６へと流入」された球２３が「入賞経路」を通過する
状態である
　同様に、刊行物発明における「球２３の第２始動口１６への流入を確実に阻止させる」「退避時」における状態は、「球２３の第２始動口１６への流入を確実に阻止させる」ことから、本件補正発明における「遊技球を所定領域へと」「誘導不可能な第１誘導不可能状態」に相当する。
　したがって、刊行物発明における構成ｂ２の「球２３が通過ゲート３３を通過したことに起因して行われる第２抽選の抽選結果が当たりの場合に、進退移動することにより一定時間の第２始動口１６の開放状態を発生させるものであって、前方への進出状態において球２３を受けるための受け面１８ａを有し、受け面１８ａで受けた球２３を第２始動口１６へと流入させ、退避時には球２３の第２始動口１６への流入を確実に阻止させる機能を有する、板状部材である下ベロ部材１８」は、本件補正発明における構成Ｂ２の「所定の駆動条件が成立したことに基づいて、遊技球を所定領域へと誘導可能な第１誘導可能状態と、誘導不可能な第１誘導不可能状態とに駆動可能な第１可動片」に相当する。
　
　（ｂ３）構成ｂ３について
　刊行物発明において、「上ベロ部材１９」は、「下ベロ部材１８」よりも上方に設けられるものである。
　そして、上記（ｂ２）より、刊行物発明における「下ベロ部材１８の進出時に、下ベロ部材１８が有する受け面１８ａで受けた球２３が円滑に第２始動口１６から流入するように第２始動口１６よりも奥へと退避」する状態は、本件補正発明における「第１可動片へ遊技球を誘導可能な第２誘導可能状態」に相当する。
　同様に、刊行物発明における「下ベロ部材１８の退避時に、球２３の第２始動口１６への流入を確実に阻止するように第２始動口１６の開口縁近傍まで進出する」状態は、「下ベロ部材１８が有する受け面１８ａ」に球２３が流入しない状態であるから、本件補正発明における「第１可動片へ遊技球を」「誘導不可能な第２誘導不可能状態」に相当する。
　したがって、刊行物発明における構成ｂ３の「下ベロ部材１８の進出時に、下ベロ部材１８が有する受け面１８ａで受けた球２３が円滑に第２始動口１６から流入するように第２始動口１６よりも奥へと退避し、下ベロ部材１８の退避時に、球２３の第２始動口１６への流入を確実に阻止するように第２始動口１６の開口縁近傍まで進出する、進退移動する板状部材である上ベロ部材１９」は、本件補正発明における構成Ｂ３の「第１可動片よりも上方に設けられ、第１可動片へ遊技球を誘導可能な第２誘導可能状態と、誘導不可能な第２誘導不可能状態とに駆動可能な第２可動片」に相当する。
　
　・まとめ
　上記（ｂ１）〜（ｂ３）より、刊行物発明における「球通過センサ」、「下ベロ部材１８」、及び、「上ベロ部材１９」を有する「第２始動入賞具１１」は、本件補正発明における「入賞検知手段」、「第１可動片」、及び、「第２可動片」を備える「入賞装置」に相当する。
　
　　（ｃ）上記（ｂ２）より、刊行物発明における構成ｂ２の「下ベロ部材１８」の「進出」状態、及び、「下ベロ部材１８」の「退避」時は、それぞれ、本件補正発明における構成Ｂ２の「第１可動片」の「第１誘導可能状態」、「第１可動片」の「第１誘導不可能状態」に相当する。
　そして、刊行物発明における「ソレノイド２０のプランジャ２０ｂ」は、本件補正発明における「駆動」する手段に相当する。
　また、刊行物発明において、「下ベロ部材１８を進出させ」るときは、構成ｂ２より「進退移動する」「下ベロ部材１８」が「退避」状態から「進出」状態へと移動するように駆動させるときであることから、本件補正発明における「第１可動片が第１誘導不可能状態から第１誘導可能状態へ駆動するとき」に相当する。
　したがって、刊行物発明における「ソレノイド２０のプランジャ２０ｂにより」「下ベロ部材１８を進出させ」るときは、本件補正発明における「第１可動片が第１誘導不可能状態から第１誘導可能状態へ駆動するとき」に相当する。
　
　一方、上記（ｂ３）より、刊行物発明における構成ｂ３の「上ベロ部材１９」の「進出」時、及び、「上ベロ部材１９」の「退避」時は、それぞれ、本件補正発明における構成Ｂ３の「第２可動片」の「第２誘導不可能状態」、「第２可動片」の「第１誘導可能状態」に相当する。
　そして、刊行物発明において、「上ベロ部材１９を退避させる」ときは、「上ベロ部材１９」が「退避」状態から「進出」状態へと移動するように駆動させるときであるから、本件補正発明における「第２可動片が第２誘導不可能状態から第２誘導可能状態へ駆動するとき」に相当する。
　したがって、刊行物発明における「ソレノイド２０のプランジャ２０ｂにより」「下ベロ部材１８を進出させ」るときは、本件補正発明における「第２可動片が第２誘導不可能状態から第２誘導可能状態へ駆動するとき」に相当する。
　
　そして、刊行物発明は、構成ｂ３より、「下ベロ部材１８の進出時に、下ベロ部材１８が有する受け面１８ａで受けた球２３が円滑に第２始動口１６から流入するように」「上ベロ部材１９」を「第２始動口１６よりも奥へと退避」させるものである。
　ここで、刊行物発明における「下ベロ部材１８が有する受け面１８ａで受けた球２３が円滑に第２始動口１６から流入するように」することは、構成ｂ１より、「第２始動口１６から流入した球２３」が「球通過センサ」により「検出」可能となることであるから、本件補正発明における「第１可動片によって遊技球を所定領域へ誘導可能」とすることに相当する。
　
　よって、刊行物発明における構成ｂを前提とする構成ｃと、本件補正発明における構成Ｂを前提とする構成Ｃとは、「第１可動片が第１誘導不可能状態から第１誘導可能状態へ駆動するときに」、「第２可動片が第２誘導不可能状態から第２誘導可能状態へ駆動し、第１可動片によって遊技球を所定領域へ誘導可能と」することで共通する。
　
　　（ｄ）刊行物発明において、「ソレノイド２０のプランジャ２０ｂにより」「下ベロ部材１８を退避させ」るときは、上記（ｃ）より、「下ベロ部材１８」が「進出」状態から「退避」状態へと進退移動するように駆動されるときである。
　そうすると、刊行物発明における「ソレノイド２０のプランジャ２０ｂにより」「下ベロ部材１８を退避させ」るときは、本件補正発明における「第１可動片が第１誘導能状態から第１誘導不可能状態へ駆動するとき」に相当する。
　同様に、上記（ｃ）より、刊行物発明において、「ソレノイド２０のプランジャ２０ｂにより、上ベロ部材１９を進出させる」ときは、本件補正発明における「第２可動片が第２誘導能状態から第２誘導不可能状態へ駆動するとき」に相当する。
　
　そして、刊行物発明は、「上ベロ部材１９を進出させ」、かつ、「下ベロ部材１８を退避させ」ることにより、「球２３の第２始動口１６への流入を確実に阻止する」（構成ｂ３）ものである。
　ここで、刊行物発明における「球２３の第２始動口１６への流入を確実に阻止する」ことは、構成ｂ１より、「球２３」が「球通過センサ」を通過しないことであるから、本件補正発明における「所定領域への遊技球の誘導を」「遮ること」に相当する。
　したがって、刊行物発明における「上ベロ部材１９を進出させ」、かつ、「下ベロ部材１８を退避させ」ることは、本件補正発明における「第２可動片が第２誘導可能状態から第２誘導不可能状態へ駆動することで、第１可動片による所定領域への遊技球の誘導を、第２可動片により遮ることを可能と」することに相当する。
　
　よって、刊行物発明における構成ｂを前提とする構成ｄの「ソレノイド２０のプランジャ２０ｂにより、上ベロ部材１９を進出させると、下ベロ部材１８を退避させ」ることと、本件補正発明における構成Ｂを前提とする構成Ｄの「前記第１可動片が前記第１誘導可能状態から前記第１誘導不可能状態へ駆動するときに、前記第１可動片により前記所定領域を塞ぐとともに、前記第２可動片が前記第２誘導可能状態から前記第２誘導不可能状態へ駆動することで、前記第１可動片による前記所定領域への遊技球の誘導を、前記第２可動片により遮ることを可能と」することとは、「第１可動片が第１誘導可能状態から第１誘導不可能状態へ駆動するときに」「第２可動片が第２誘導可能状態から第２誘導不可能状態へ駆動することで、第１可動片による所定領域への遊技球の誘導を、第２可動片により遮ることを可能と」することで共通する。
　
　　（ｅ、ｆ、ｆ１）刊行物発明において「下ベロ部材１８の進出状態においては、受け面１８ａにて受けた球２３が円滑に第２始動口１６から流入」することから、「第２始動口１６よりも奥へと退避」している「上ベロ部材１９」は、「下ベロ部材１８」が「受け面１８ａにて受けた球２３」に接することにより、球２３が「第２始動口１６から流入」することを妨げるものではない。
　一方、本件補正発明において、「遊技球当接部」は、構成Ｅより、「第２可動片」が備えるものである。
　したがって、刊行物発明における構成ｅ’、ｆ’、ｆ１’の「上ベロ部材１９は」「下ベロ部材１８の進出時には、第２始動口１６よりも奥へと退避し、その結果、第２始動口１６の実質的な開口高さ寸法Ｌ１が球２３の直径寸法Ｄよりも大きくなるようになっているため、下ベロ部材１８の進出状態においては、受け面１８ａにて受けた球２３が円滑に第２始動口１６から流入」することと、本件補正発明における構成Ｅ、Ｆ、Ｆ１の「前記第２可動片は、下方に延びる遊技球当接部を備え、前記遊技球当接部は、前記第１可動片が前記第１誘導可能状態のときには、前記第１可動片に接する遊技球とは当接」しないこととは、「第２可動片は、第１可動片が第１誘導可能状態のときには、第１可動片に接する遊技球とは当接」しないことで共通する。
　
　　（ｅ、ｆ、ｆ２）刊行物発明における「下ベロ部材１８の退避移動の途中」は、「下ベロ部材１８」が「進出」状態から「退避」状態へと移動する進退移動の途中であることを意味するものであり、上記（ｂ２）より、本件補正発明における「第１可動片が第１誘導可能状態から第１誘導不可能状態へ駆動するとき」に相当する。
　そして、刊行物発明における「受け面１８ａによって球２３が受け止められた場合であっても、球２３が第２始動口１６へと押し込まれることなく、上ベロ部材１９によってそのまま遊技領域６ｂへと残されて流下」することは、「上ベロ部材１９」が「受け面１８ａによって」「受け止めら」れた「球２３」に当たることにより、「球２３が第２始動口１６へと押し込まれることなく、上ベロ部材１９によってそのまま遊技領域６ｂへと残されて流下する」ことであるから、本件補正発明における「第２可動片は」「第１可動片に接する遊技球と当接する」ことに相当する。
　したがって、刊行物発明における構成ｅ’、ｆ’、ｆ２’の「上ベロ部材１９は」「下ベロ部材１８の退避時には、第２始動口１６の開口縁近傍まで進出し、その状態において、第２始動口１６の実質的な開口高さ寸法Ｌ２は、下ベロ部材１８及び上ベロ部材１９の合計厚さ分だけ減少し、この開口高さ寸法Ｌ２が球２３の直径寸法Ｄよりも小さく設定されているので、第２始動口１６への流入を確実に阻止するものであり、これにより、下ベロ部材１８の退避移動の途中に受け面１８ａによって球２３が受け止められた場合であっても、球２３が第２始動口１６へと押し込まれることなく、上ベロ部材１９によってそのまま遊技領域６ｂへと残されて流下する」ことと、本件補正発明における構成Ｅ、Ｆ、Ｆ２の「第２可動片は、下方に延びる遊技球当接部を備え、遊技球当接部は」「第１可動片が第１誘導可能状態から第１誘導不可能状態へ駆動するときには、第１可動片に接する遊技球と当接する」こととは、「第２可動片は、第１可動片が第１誘導可能状態から第１誘導不可能状態へ駆動するときには、第１可動片に接する遊技球と当接する」ことで共通する。
　
　よって、両者の一致点および相違点は、次のとおりである。
［一致点］
「Ａ　遊技球が転動可能な遊技領域と、前記遊技領域を転動する遊技球が入球可能な入賞装置と、を備える遊技機であって、
Ｂ　前記入賞装置は、
Ｂ１　遊技球が所定領域を通過したことを検知可能な入賞検知手段と、
Ｂ２　所定の駆動条件が成立したことに基づいて、遊技球を前記所定領域へと誘導可能な第１誘導可能状態と、誘導不可能な第１誘導不可能状態とに駆動可能な第１可動片と、
Ｂ３　前記第１可動片よりも上方に設けられ、前記第１可動片へ遊技球を誘導可能な第２誘導可能状態と、誘導不可能な第２誘導不可能状態とに駆動可能な第２可動片と、を備え、
Ｃ’　前記第１可動片が前記第１誘導不可能状態から前記第１誘導可能状態へ駆動するときに、前記第２可動片が前記第２誘導不可能状態から前記第２誘導可能状態へ駆動し、前記第１可動片によって遊技球を前記所定領域へ誘導可能とし、
Ｄ’　前記第１可動片が前記第１誘導可能状態から前記第１誘導不可能状態へ駆動するときに、前記第２可動片が前記第２誘導可能状態から前記第２誘導不可能状態へ駆動することで、前記第１可動片による前記所定領域への遊技球の誘導を、前記第２可動片により遮ることを可能とし、
Ｅ’、Ｆ’　前記第２可動片は、
Ｆ１’　前記第１可動片が前記第１誘導可能状態のときには、前記第１可動片に接する遊技球とは当接せず、
Ｆ２’　前記第１可動片が前記第１誘導可能状態から前記第１誘導不可能状態へ駆動するときには、前記第１可動片に接する遊技球と当接する遊技機。」
　
［相違点１］（構成Ｃ）
　第１可動片が第１誘導不可能状態から第１誘導可能状態へ駆動するときに、本件補正発明は、所定領域が開放されるのに対して、刊行物発明は、そのような構成を備えるか否か明らかでない点。
　
［相違点２］（構成Ｄ）
　第１可動片が第１誘導可能状態から第１誘導不可能状態へ駆動するときに、本件補正発明は、第１可動片により所定領域を塞ぐのに対して、刊行物発明は、そのような構成を備えるか否か明らかでない点。
　
［相違点３］（構成Ｅ〜Ｆ２）
　第１可動片が第１誘導可能状態のときには、第１可動片に接する遊技球とは当接せず、第１可動片が第１誘導可能状態から第１誘導不可能状態へ駆動するときには、第１可動片に接する遊技球と当接するのが、本件補正発明は、第２可動片が備える下方に延びる遊技球当接部であるのに対して、刊行物発明は、第２可動片が下方に延びる遊技球当接部を備えるか否か明らかでない点。
　
　（４）当審の判断
　　　ア　相違点１〜２（構成Ｃ、Ｄ）について
　上記相違点１〜２は、所定領域の開放に関する技術であり互いに関連するのでまとめて検討する。
　遊技機の技術分野において、遊技球が所定領域を通過したことを検知可能な入賞検知手段を備えた入賞装置について、所定領域を入賞装置の下流側に設けることは、本件出願前に周知の技術事項である（例えば、特開２０１０−６８９４４号公報の【００３６】の「普通入賞口１５ａに入賞した遊技球Ｐが、通過穴２１ａと通過穴２３ａを通って排出通路２６ａに流下し、普通入賞口ＳＷ１５ｃで検出後、排出機構に誘導される。」との記載、
　特開２００２−３５２５９号公報の【０００２】の「入賞装置への打球の飛入は通常の場合入賞装置の内部か、若しくはこれに連通するセーフ球通路の途中に設備する検出器（検出スイッチ）によって検出し、制御装置等を介して賞球装置を作動させ賞球を放出するように構成しているのが普通である。」との記載を参照のこと。以下「周知の技術事項１」という。）。
　また、遊技機の技術分野において、所定領域と可動部を有する入賞装置について、可動部を駆動することにより前後方向に進退可能とし、可動部が遊技球を誘導不可能状態から誘導可能状態へと駆動されるときに、所定領域が開放され、可動部が遊技球を誘導可能状態から誘導不可能状態へと駆動されるときに、所定領域が塞がれることは、本件出願前に周知の技術事項である（例えば、特開２０１０−６８９４４号公報の【００３３】〜【００３６】、【図４】〜【図６】の普通入賞口装置１５が備える入賞口本体２１が、進出位置のときに入賞口本体２１の底壁部に設けた通過穴２１ａと、ガイド筒体２３の底壁部に設けた通過穴２３ａとが重なることにより連通し、普通入賞口１５ａに入賞した遊技球Ｐが、通過穴２１ａと通過穴２３ａとを通って排出通路２６ａに流下するとの記載、
　特開２００２−３５２５９号公報の【０００２】、【００１７】、【００２５】〜【００２７】、【図２】〜【図４】の「入賞装置１０は飛入口１２と、この飛入口に飛入した打球を遊技盤背後のセーフ球通路（図示せず）に誘導する可動誘導樋１３とから構成される。」との記載、「前進した前記可動誘導樋１３は、先端の球受け部１８を取付基板１４と面一にする位置から飛入口１２の突き出し位置に揃えて内部を連通させ、飛入口１２に飛入した打球Ｂを内部を通して遊技盤の背後に誘導することができるものになっている。」との記載を参照のこと。以下「周知の技術事項２」という。）。
　そして、刊行物発明は、プランジャ２０ｂによる下ベロ部材１８と上ベロ部材１９との相対的な位置関係により、球２３を第２始動口１６から流入させる状態と、流入させない状態とに切り替え可能に制御するものであるから、刊行物発明と上記周知の技術事項２とは、遊技球を入賞装置の所定領域に誘導可能な状態と誘導不可能な状態に切り替え可能に制御する機能を有する点で共通するものである。
　したがって、刊行物発明における「第２始動入賞具１１」に上記周知の技術事項１を適用して、球通過センサを収容部２１の「下ベロ部材１８」よりも下流側に設けるとともに、下ベロ部材１８のソレノイド２０のプランジャ２０ｂによる駆動に上記周知の技術事項２を適用して、下ベロ部材１８の駆動と所定領域の開放、非開放とを関連付け、上記相違点１〜２に係る本件補正発明とすることは、当業者が容易になし得たものである。
　
　　　イ　相違点３（構成Ｅ〜Ｆ２）について
　遊技機の技術分野において、前後方向に開閉する入賞装置について、遊技球の誘導路を形成する上下の部材のうち、上側の部材に下方に延びる遊技球当接部を設け、下側の部材が遊技球を誘導可能な進出状態のときには、遊技球が遊技球当接部に当接せず、下側の部材が遊技球を誘導不可能な退避状態のときには、遊技球が上側の部材に設けた遊技球当接部に当接する構成とすることは、本件出願前に周知の技術事項である（例えば、特開２０１０−２８４３６２号公報の【０１１９】〜【０１３１】、【図８】〜【図１１】の庇部に下方に延びる突起を設け、舌状可動片３００が第１の位置にあり、かつ、庇部３２４が第４の位置にある状態では、遊技球ＰＢは、入賞開口端部３０２に受け入れられ、特図Ｂ始動入賞口１０８Ｂへの入賞が可能な状態となる旨の記載、及び、舌状可動片３００が第１の位置から移動を開始した直後にあるとき、かつ、庇部３２４が第４の位置から第３の位置へ移動し始めたときの状態では、遊技球ＰＢが、頂点３００Ａよりもカバー部材３０６寄りに当接するため、特図Ｂ始動入賞口１０８Ｂへの入賞が不可能な状態となり、仮に頂点３００Ａよりも遊技盤ＰＢ寄りに当接したとしても、庇部３２４により入賞開口端部３０２への受け入れが妨げられる旨の記載、
　特開２００７−３１２９５６号公報の【０２０４】〜【０２０５】、【図４１】の「入賞通路５３１内の受止誘導部材５３５の上方には、入賞防止部材５６１が配設されている。この入賞防止部材５６１は、受止誘導部材５３５が突出位置のときに特別図柄始動口８２を開放し、受止誘導部材５３５が没入位置のときに特別図柄始動口８２を塞ぐものである」との記載を参照のこと。以下「周知の技術事項３」という。）。
　そして、刊行物発明と上記周知の技術事項３とは、下側の部材が遊技球を誘導可能な進出状態のときには、遊技球が上側の部材に当接せず、下側の部材が遊技球を誘導不可能な退避状態のときには、遊技球が上側の部材に当接する機能を有する入賞装置である点で共通する。
　また、刊行物発明は、下ベロ部材１８の進出時、退避時に、それぞれ、第２始動口１６の実質的な開口高さ寸法Ｌ１、Ｌ２を設定するものであって、上ベロ部材１９に下方に延びる遊技球当接部を設けた場合、「上ベロ部材１９」の「厚さ分」に、下方に延びる遊技球当接部の厚みを考慮して上記寸法Ｌ１、Ｌ２を設定し直すことは、当業者が「第２始動入賞具１１」を設計するに際して当然考慮すべき事項である。
　したがって、刊行物発明における上ベロ部材１９に、上記周知の技術事項３を適用して、上ベロ部材１９に下方に延びる遊技球当接部を設け、上記相違点３に係る本件補正発明とすることは当業者が容易になし得たものである。
　
　　　ウ　請求人の主張について
　請求人は、平成３０年２月１９日付け審判請求書の「（２）本願発明と引用文献との対比」において、次の点について主張をする。
「したがって、引用文献１〜３には、本願発明の「前記第１可動片が前記第１誘導不可能状態から前記第１誘導可能状態へ駆動するときに、前記所定領域が開放」される構成及び「前記第１可動片が前記第１誘導可能状態から前記第１誘導不可能状態へ駆動するときに、前記第１可動片により前記所定領域を塞ぐ」構成が示されていない。
　本願発明は、引用文献１〜３に示されていない構成を備えることで、以下の格別な効果を奏する。
　通常、遊技機は、予め設定した賞球に関する性能に基づくタイミングで、第１可動片を第１誘導可能状態と、第１誘導不可能状態と、に切り替える。本来であれば、第１可動片が第１誘導可能状態となったことによる遊技者の利益は、第１可動片が第１誘導不可能状態へ駆動を開始した時点で終了する。ところが、その後、第１可動片が第１誘導可能状態から第１誘導不可能状態へ駆動中に、第１可動片により遊技球が入賞検知手段により検知される所定領域へ誘導され入賞してしまう場合がある。このような入賞に基づく、例えば、賞球は、遊技者にとっては予期しない利益であるが、遊技場にとっては予期せぬ損失になる。
　本願発明によれば、入賞検知手段により検知される所定領域へ誘導可能なときには、遊技球は、第１可動片と遊技球当接部との間を通過し、開放された所定領域に入賞する。一方、所定領域へ誘導不可能なときには、遊技球は、第１可動片と遊技球当接部との間を通過できず、さらに、仮に第１可動片と遊技球当接部との間を通過してしまったとしても、第１可動片により所定領域が塞がれているため、入賞しない。
　これにより、遊技者は適正な利益を得られるとともに、遊技場が予期せぬ損失を被るのを防止可能となる。したがって、遊技機の賞球に関する性能を正確に計算することが可能となり、遊技者と遊技場における利益のバランスを正確に管理することが可能になる。」（第８頁第１３行〜第９頁第１１行）
　
　そこで、請求人の上記主張について検討する。
　上記アにおいて検討したように、刊行物発明と上記周知の技術事項１とは、遊技球を入賞装置の所定領域に誘導可能な状態と誘導不可能な状態に切り替え可能に制御する機能を有する点で共通するものである。
　そして、刊行物発明に上記周知の技術事項１を適用したものは、遊技球の受け入れ可否を、下ベロ部材１８と上ベロ部材１９設けた下方に延びる遊技球当接部とにより、第２始動口１６の段階で行い、さらに、第２始動口１６を通過した後の入賞経路の段階で行う構成を備えることになり、請求人が主張する「遊技球は、第１可動片と遊技球当接部との間を通過できず、さらに、仮に第１可動片と遊技球当接部との間を通過してしまったとしても、第１可動片により所定領域が塞がれているため、入賞しない」なる効果を奏することは明らかである。
　
　したがって、請求人の上記主張を採用することはできない。
　
　　　エ　小括
　本件補正発明により奏される効果は、刊行物発明、及び、上記周知の技術事項１〜３から当業者が予測できる効果の範囲内のものであり、格別なものではない。
　そうすると、上記ア〜ウにおいて検討したとおり、本件補正発明は、刊行物発明、及び、上記周知の技術事項１〜３に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１〜２に係る発明は、平成２９年６月２日付け手続補正書により補正された特許請求の範囲の請求項１〜２に記載されたとおりのものであるところ、その請求項１に係る発明（以下「本願発明」という。記号Ａ〜Ｆ２は、分説するため当審で付した。）は、次のとおりのものと認める。
「Ａ　遊技球が転動可能な遊技領域と、前記遊技領域を転動する遊技球が入球可能な入賞装置と、を備える遊技機であって、
Ｂ　前記入賞装置は、
Ｂ１　遊技球が所定領域を通過したことを検知可能な入賞検知手段と、
Ｂ２　所定の駆動条件が成立したことに基づいて、遊技球を前記所定領域へと誘導可能な第１誘導可能状態と、誘導不可能な第１誘導不可能状態とに駆動可能な第１可動片と、
Ｂ３　前記第１可動片よりも上方に設けられ、前記第１可動片へ遊技球を誘導可能な第２誘導可能状態と、誘導不可能な第２誘導不可能状態とに駆動可能な第２可動片と、を備え、
Ｃ’　前記第１可動片が前記第１誘導不可能状態から前記第１誘導可能状態へ駆動するときに、前記第２可動片が前記第２誘導不可能状態から前記第２誘導可能状態へ駆動し、前記第１可動片によって遊技球を前記所定領域へ誘導可能とし、
Ｄ’　前記第１可動片が前記第１誘導可能状態から前記第１誘導不可能状態へ駆動するときに、前記第２可動片が前記第２誘導可能状態から前記第２誘導不可能状態へ駆動することで、前記第１可動片による前記所定領域への遊技球の誘導を、前記第２可動片により遮ることを可能とし、
Ｅ　前記第２可動片は、下方に延びる遊技球当接部を備え、
Ｆ　前記遊技球当接部は、
Ｆ１　　前記第１可動片が前記第１誘導可能状態のときには、前記第１可動片に接する遊技球とは当接せず、
Ｆ２　　前記第１可動片が前記第１誘導可能状態から前記第１誘導不可能状態へ駆動するときには、前記第１可動片に接する遊技球と当接する遊技機。」
　
　２　拒絶の理由（平成２９年３月３０日付け）
　原査定の拒絶の理由は、
「１．（新規性）この出願の下記の請求項１〜２に係る発明は、その出願前に日本国内において、頒布された下記の刊行物１に記載された発明であるから、特許法第２９条第１項第３号に該当し、特許を受けることができない。
　                     　
２．（進歩性）この出願の下記の請求項１〜２に係る発明は、その出願前に日本国内において、頒布された下記の刊行物１に記載された発明に基いて、その出願前にその発明の属する技術の分野における通常の知識を有する者が容易に発明をすることができたものであるから、特許法第２９条第２項の規定により特許を受けることができない。」というものである。
　
　刊行物１：特開２００９−１９５６３７号公報
　
　３　刊行物に記載された事項
　原査定の拒絶理由において提示された、引用文献１である特開２００９−１９５６３７号公報（前記「第２　３（２）」における「刊行物」に対応する。）の記載事項及び刊行物発明の認定については、前記「第２　３（２）刊行物」に記載したとおりである。
　
　４　対比・判断
　本願発明は、前記「第２　３（１）」で検討した本件補正発明における構成Ａ〜Ｆ２のうち、構成Ｃについて、「前記第１可動片が前記第１誘導不可能状態から前記第１誘導可能状態へ駆動するときに、
前記所定領域が開放され、
前記第１可動片により前記所定領域を塞ぐとともに、
　そして、前記「第２　３（３）対比」で検討した内容からみて、刊行物発明における構成ｃ、ｄは、本願発明の構成Ｃ’、Ｄ’に相当する。
　そうすると、本願発明と刊行物発明とは、本件補正発明と同様に、前記「第２　３（３）対比」における相違点３において相違し、その余の点において一致する。
　
　そして、相違点３についての判断は、前記「第２　３（４）当審の判断　イ　相違点３（構成Ｅ〜Ｆ２）について」で検討したとおりである。
　したがって、本願発明は、刊行物発明に前記周知の技術事項２を適用することにより当業者が容易になし得たものである。
　
５　むすび
　以上のとおりであるから、本願発明は、特許法第２９条第２項の規定により特許を受けることができない。
　したがって、その余の請求項について検討するまでもなく、本願は拒絶すべきものである。
　
　よって、結論のとおり審決する。